(57)【要約】【課題】  印材の無駄を省くと共に、保管時のスペースも小さくて済み、しかも印面の文字を見なくても印鑑の種類が容易に分かるようにした印鑑及びそれに使用する印面部材を提供する。【解決手段】  印鑑は、チタンまたはチタン合金製で、一または二以上の握り部材１と、握り部材１の数よりも多い印面部材２ａ，２ｂ，２ｃの組み合わせからなる。印面部材２ａ，２ｂ，２ｃはねじ構造によって握り部材１に着脱自在に取り付けることができるように構成されている。各印面部材２ａ，２ｂ，２ｃには、印面部材２ａ，２ｂ，２ｃ毎に異なる識別用の色彩または／及び模様が施されている。【選択図】        図１  
0003103611.tif 000002
【実用新案登録請求の範囲】
【請求項１】
チタンまたはチタン合金製で、一または二以上の握り部材(1)と、該握り部材(1)の数よりも多い印面部材(2a,2b,2c)の組み合わせからなり、該印面部材(2a,2b,2c)は連結手段によって握り部材(1)に着脱自在に取り付けることができるように構成されており、各印面部材(2a,2b,2c)には印面部材(2a,2b,2c)毎に異なる識別用の色彩または／及び模様が施されていることを特徴とする、
印鑑。
【請求項２】
チタンまたはチタン合金製で、一または二以上の握り部材(1)と、該握り部材(1)の数よりも多い印面部材(2a,2b,2c)の組み合わせからなり、印面部材(2a,2b,2c)はねじ構造によって握り部材(1)に着脱自在に取り付けることができるように構成されており、各印面部材(2a,2b,2c)には印面部材(2a,2b,2c)毎に異なる識別用の色彩または／及び模様が施されていることを特徴とする、
印鑑。
【請求項３】
印面部材(2a,2b,2c)は、実印、銀行印、認印からなる群から選ばれた二以上を含むことを特徴とする、
請求項１または２記載の印鑑。
【請求項４】
印面部材(2a,2b,2c)の印面部(23a,23b,23c)の周縁部分に面取りが施されていることを特徴とする、
請求項１，２または３記載の印鑑。
【請求項５】
請求項１，２，３または４記載の印鑑に使用することを特徴とする、
印面部材。
【考案の詳細な説明】
【技術分野】
【０００１】
本考案は印鑑及びそれに使用する印面部材に関する。
更に詳しくは、印材の無駄を省くと共に、保管時のスペースも小さくて済み、しかも印面の文字を見なくても印鑑の種類が容易に分かるようにした印鑑及びそれに使用する印面部材に関する。
更に、落下などにより印面部の周縁部分が欠けることを防止した印鑑及びそれに使用する印面部材に関する。
【背景技術】
【０００２】
我が国では、慣行上、文書の内容を認める意思表示として印鑑が用いられる。印材としては、耐久性や高級感だけではなく、捺印のし易さや鮮明さなどの理由から、古くから象牙が使用されてきた。しかしながら、象牙を印材とすることは、野生動物保護の観点から問題となっており、近年ではそれに代わる新素材として硬質金属であるチタンが使用されている。
【考案の開示】
【考案が解決しようとする課題】
【０００３】
ところで、印鑑は、握り部を構成する印鑑本体の先端面に文字が刻設されることで構成されるが、実際に印字を施す部分は先端の印面部である。このため、例えば実印、銀行印、認印と印鑑をそれぞれ取り揃えておくのは、本来印材の無駄であり、価格的にも高額となる。更に落下などにより印面部が欠けたりすると、握り部材に傷がなかったとしても、印鑑を丸ごと新しいものに買い替える必要がある。
【０００４】
また実印や銀行印は認印に比べて使用頻度が低いため、印鑑ケースに入れて金庫等に保管される場合が多い。しかしながら、金庫には印鑑以外にも通帳や権利書・預金証書など保管すべきものが多いので、印鑑の保管に要するスペースもできるだけ小さいことが好ましい。
【０００５】
（本考案の目的）
そこで本考案の目的は、印材の無駄を省くと共に、保管時のスペースも小さくて済み、しかも印面の文字を見なくても印鑑の種類が容易に分かるようにした印鑑及びそれに使用する印面部材を提供することにある。
更に本考案の目的は、落下などにより印面部の周縁部分が欠けることを防止した印鑑及びそれに使用する印面部材を提供することにある。
【課題を解決するための手段】
【０００６】
上記目的を達成するために本考案が講じた手段は次のとおりである。
【０００７】
第１の考案にあっては、
チタンまたはチタン合金製で、一または二以上の握り部材と、該握り部材の数よりも多い印面部材の組み合わせからなり、該印面部材は連結手段によって握り部材に着脱自在に取り付けることができるように構成されており、各印面部材には印面部材毎に異なる識別用の色彩または／及び模様が施されていることを特徴とする、
印鑑である。
【０００８】
第２の考案にあっては、
チタンまたはチタン合金製で、一または二以上の握り部材と、該握り部材の数よりも多い印面部材の組み合わせからなり、印面部材はねじ構造によって握り部材に着脱自在に取り付けることができるように構成されており、各印面部材には印面部材毎に異なる識別用の色彩または／及び模様が施されていることを特徴とする、
印鑑である。
【０００９】
第３の考案にあっては、
印面部材は、実印、銀行印、認印からなる群から選ばれた二以上を含むことを特徴とする、
第１または第２の考案に係る印鑑である。
【００１０】
第４の考案にあっては、
印面部材の印面部の周縁部分に面取りが施されていることを特徴とする、
第１，２または第３の考案に係る印鑑である。
【００１１】
第５の考案にあっては、
第１，２，３または第４の考案に係る印鑑に使用することを特徴とする、
印面部材である。
【００１２】
本考案に係る印鑑はチタンまたはチタン合金製であり、強度・耐久性・耐食性等に優れ、欠けにくく、摩耗しにくく、また錆びにくい。しかも、捺印のし易さや鮮明さについては、象牙製の印鑑に比べても遜色がない。
なお、印鑑の種類は特に限定するものではなく、実印、銀行印、認印の他、雅号印、遊び印などを挙げることができる。また個人印、会社印の別を問わない。更に、印面の形も特に限定するものではなく、丸印であっても角印であっても良い。
【００１３】
印面部材を握り部材に着脱自在に取り付ける連結手段としては、例えば雄ねじと雌ねじの組み合わせによるねじ構造の他、印面部材を握り部材にスライドさせる等により嵌合させる嵌め込み構造などを挙げることができるが、特にこれらに限定するものではない。
【００１４】
本明細書及び実用新案登録の範囲にいう「色彩または／及び模様」の表現は、色彩または模様のいずれか一方を含む場合と、色彩及び模様の両方を含む場合があることを意味している。
【００１５】
各印面部材には印面部材毎に異なる識別用の色彩または／及び模様が施されているが、その色彩または／及び模様の種類や着色方法、加工方法等を特に限定するものではない。着色方法としては、陽極酸化法や塗装、メッキ等の公知技術を採用することができるが、着色を施さずに材料そのものの色を利用することもできる。模様は、色を変えることによって施すこともできるし、表面のざらつき感（つや消しの有り無しなど）や凹凸等といった質感や形を変えることによって施すこともできる。
【００１６】
（作  用）
本考案は次のように作用する。
握り部材に例えば認印を構成する印面部材を取り付けておく。そして、実印や銀行印といった他の印鑑が必要なときには、握り部材から認印を構成する印面部材を取り外し、他の印面部材と付け替える。
更に各印面部材には印面部材に異なる識別用の色彩または／及び模様が施されているので、印面部材を選ぶときは、印面部材に施された色彩または／及び模様を見れば、他の印面部材と容易に識別できる。
【００１７】
印面部材の印面部の周縁部分に面取りが施されているものでは、面取りがされていないものに比べ、落下しても印面の周縁部分が欠けにくく、また長年の使用によっても当該周縁部分が摩耗しにくい。
しかも、印面部材はチタンまたはチタン合金製であり、木材、プラスチック、象牙や水牛の角等といった他の材料に比べて硬度が高いため、面取りが施されていても、印影の枠（円枠や角枠等）を鮮明に押印することができる。即ち、面取りを施すと、印面部と面取り部（面取りが施された後の残部）がなす角は鈍角となるため、硬度が低い他の材料で印鑑を作った場合、長年の使用による摩耗から印面部と面取り部の境界がはっきりしなくなり、印影の枠を鮮明に押印することが困難となる。これに対し、上記したように、チタンまたはチタン合金製では硬度が高く、長年使用してもその境界は摩耗せずにはっきりしているので、面取りが施されても印影の枠を鮮明に押印することができる。
【考案の効果】
【００１８】
本考案は上記構成を備え、次の効果を有する。
（ａ）本考案に係る印鑑によれば、一または二以上の握り部材と、該握り部材の数よりも多い印面部材の組み合わせからなり、印面部材がねじ構造等の連結手段によって握り部材に着脱自在に取り付けることができるので、例えば種類の異なる複数の印鑑の握り部材を共用でき、印材の無駄を省くことができる。
また本考案によれば、例えば実印、銀行印、認印を構成する場合、少なくとも一つの握り部材に対して三種類の印面部材があれば足りる。よって、握り部材の数が少なくて済むため、例えば実印、銀行印、認印の各印鑑を一つずつを金庫等に保管する場合と比べ、保管時に場所をとらない。
更に印面部材には印面部材毎に異なる識別用の色彩が施されているので、印面部の文字を見なくても印面部材の種類が分かり、印面部材の交換を間違うことなく容易に行うことができる。
また更に、落下等により、印面部材が破損した場合には、印面部材だけを買い替えれば良く、握り部材まで新しいものに買い替える必要はないため、経済的である。
本考案に係る印鑑はチタンまたはチタン合金製であるため、強度・耐久性・耐食性等に優れ、欠けにくく、摩耗しにくく、また錆びにくい。また象牙や水牛の角を材料としたものと相違して、動物保護の観点からも好ましい。
【００１９】
（ｂ）印面部材の印面部の周縁部分に面取りが施されているものでは、面取りがされていないものに比べ、落下しても印面部の周縁部分が欠けにくく、また長年の使用によっても当該周縁部分が摩耗しにくい。
しかも、印面部材はチタンまたはチタン合金製で硬度が高く、長年使用しても印面部と面取り部（面取りが施された後の残部）の境界は摩耗せずにはっきりしているので、面取りが施されても印影の枠を鮮明に押印することができる。
【００２０】
（ｃ）本考案に係る印面部材を使用すれば、上記したような効果を有する印鑑を構成することができる。
【考案を実施するための最良の形態】
【００２１】
本考案を図面に示した実施例に基づき更に詳細に説明する。
【実施例１】
【００２２】
図１は、本考案に係る印鑑の第１の実施例を示しており、握り部材１の先端に印面部材２ａを取り付けた状態の側面視説明図及び各印面部材２ｂ，２ｃの側面視説明図である。
【００２３】
図１に示す印鑑はチタンまたはチタン合金製であり、略円柱形の握り部材１と、握り部材１の数よりも多い印面部材２ａ，２ｂ，２ｃの組み合わせから構成される。本実施例では、一つの握り部材１に対して、実印、銀行印、認印をそれぞれ構成する三種類の印面部材２ａ，２ｂ，２ｃの組み合わせからなる。
【００２４】
認印を構成する印面部材２ａと、銀行印を構成する印面部材２ｃの各印面部２３ａ，２３ｃの直径は、実印を構成する印面部材２ｂの印面部２３ｂの直径よりも小さく、各印鑑に合った印影を押印できるようになっている。
【００２５】
印面部材２ａの印面部２３ａ、印面部材２ｂの印面部２３ｂ及び印面部材２ｃの印面部２３ｃの各周縁部分が所要の大きさでそれぞれ面取りされることによって、各印面部２３ａ，２３ｂ，２３ｃの直径が適宜設定されている。面取りが施された後の残部である面取り部２４ａ，２４ｂ，２４ｃは、内側に向けて湾曲した面を周面とする形状となっている。なお、印面部材２ｂについては、面取りを施さずに構成することもできる。
【００２６】
印面部材２ａ，２ｂ，２ｃは、連結手段であるねじ構造により、握り部材１に着脱自在に取り付けることができる。即ち、各印面部材２ａ，２ｂ，２ｃに雄ねじ２１が設けられ、雄ねじ２１に対応する雌ねじ１１が握り部材１に設けてある。ただし、雄ねじ２１と雌ねじ１１の位置関係を逆にすることもできる。
【００２７】
各印面部材２ａ，２ｂ，２ｃの周面部２２には、印面部材２ａ，２ｂ，２ｃ毎に異なる識別用の色彩が施されている。具体的には、例えば実印を構成する印面部材２ｂが金色でであり、銀行印を構成する印面部材２ｃが銀色であり、認印を構成する印面部材２ｃが銅色である。なお、握り部材１は二以上であっても良く、印面部材２ａ，２ｂ，２ｃの数も特に限定するものではない。
【００２８】
（作  用）
本実施例に係る印鑑は、例えば次のように作用する。
認印は、便宜的な本人証明として日常的に使用するため、通常は握り部材１に認印を構成する印面部材２ａを取り付ければ良い。また、重要な用途に使用される実印や銀行印は、認印に比べて使用頻度が低いため、ケース等に入れて別途保管しておく。そして、必要なときに、認印を構成する印面部材２ａを回して取り外し、実印や銀行印を構成する他の印面部材２ｂ，２ｃと付け替える。
【００２９】
このように、本実施例では、印面部材２ａ，２ｂ，２ｃが握り部材１に着脱自在となっているため、実印、銀行印、認印といった三種類の印鑑を一つの握り部材１で共用でき、印材の無駄を省くことができる。また、握り部材１の数が少なくて済むため、例えば実印、銀行印、認印の各印鑑を一つずつを金庫等に保管する場合と比べ、保管時に場所をとらない。
【００３０】
印面部材２の周面部には、金色、銀色、銅色といった各印面部材２ａ，２ｂ，２ｃを識別できる色彩が施されているので、各印面部２３ａ，２３ｂ，２３ｃの文字を見なくても印面部材２ａ，２ｂ，２ｃの種類が分かり、印面部材２ａ，２ｂ，２ｃの交換を間違うことなく容易に行うことができる。
【００３１】
また長年の使用により印面部材２ａなどが破損した場合には、破損した印面部材２ａだけを買い替えれば良く、握り部材１まで新しいものに買い替える必要はないため、経済的である。
【００３２】
更に、各印面部２３ａ，２３ｂ，２３ｃの周縁部分に面取りが施されていることにより、落下しても印面部の周縁部分が欠けにくく、また長年の使用によっても当該周縁部分が摩耗しにくい。しかも、印面部材２ａ，２ｂ，２ｃはチタンまたはチタン合金製で硬度が高く、長年使用しても印面部２３ａと面取り部２４ａの境界は摩耗せずにはっきりしているので、面取りが施されても印影の枠を鮮明に押印することができる。
【実施例２】
【００３３】
図２は、本考案に係る印鑑の第２の実施例を示しており、握り部材１に取り付けた印面部材２ｄを拡大した部分側面視説明図である。
【００３４】
なお、実施例１と同一または同等箇所には同一の符号を付して示している。また、実施例１で説明した箇所については、説明を省略し、主に相異点を説明する。更に作用及び効果は、実施例１と大体において同じであるため、説明を省略する。
【００３５】
本実施例では、実施例１と同様に、印面部材２ｄの印面部２３ｄの周縁部分が面取りされている。ただし、実施例１と相違して、面取りが施された後の残部である面取り部２４ｄは、その断面がほぼ直線となっている。
【００３６】
なお、本明細書で使用している用語と表現はあくまで説明上のものであって、限定的なものではなく、上記用語、表現と等価の用語、表現を除外するものではない。また、本考案は図示の実施例に限定されるものではなく、技術思想の範囲内において種々の変形が可能である。
【００３７】
更に、実用新案登録請求の範囲には、請求項記載の内容の理解を助けるため、図面において使用した符号を括弧を用いて記載しているが、実用新案登録請求の範囲を図面記載のものに限定するものではない。
【図面の簡単な説明】
【００３８】
【図１】本考案に係る印鑑の第１の実施例を示しており、握り部材１の先端に印面部材２ａを取り付けた状態の側面視説明図及び各印面部材２ｂ，２ｃの側面視説明図。
【図２】本考案に係る印鑑の第２の実施例を示しており、握り部材１に取り付けた印面部材２ｄを拡大した部分側面視説明図。
【符号の説明】
【００３９】
１ 握り部材
１１  雄ねじ
２ａ，２ｂ，２ｃ，２ｄ 印面部材
２１  雌ねじ
２２ａ，２２ｂ，２２ｃ，２４ｄ  周面部
２３ａ，２３ｂ，２３ｃ，２４ｄ  印面部
２４ａ，２４ｂ，２４ｃ，２４ｄ  面取り部
【図１】
0003103611.tif 000003
【図２】
0003103611.tif 000004